(57)【特許請求の範囲】
【請求項１】
水産物採取船に取り付けた回転ドラムに案内されて、水産物が付着したロープを引き上げるように構成してなる水産物採取装置において、
前記水産物採取船の舷側に、前記回転ドラムに対向して少なくとも一側縁部において上下方向に回動可能に取り付けられ、前記舷側から外側に突出可能に構成された函状のバケットと、
前記バケットの底面に、前記回転ドラムに対向する位置において前記水産物が付着したロープを通過させるように構成した開口部と、
前記バケットの底面における前記開口部の周縁に、前記回転ドラムの外周に対し摺接すると共に前記開口部を被覆するように起立倒伏可能に装着したひれ状部材とを具備し、
前記バケットは、ほぼ矩形状の底板と、この底板の三方の外周に一体的に立設された側板とから構成され、前記側板のない一方の底板側縁部を、蝶番および係止板を介して前記水産物採取船の舷側における上部レールに対し上下方向に回動および係止可能に取り付けられ、前記側板の内側と外側にそれぞれＵボルトを設けて、これらのＵボルトに対し、バケットを水平状態に懸吊支持すると共にバケットを船内側に引上げ収納するための懸吊ないし引き上げロープをそれぞれ結合してなり、
前記ひれ状部材は、放射状に複数の切断線を有する半角錐状に形成され、下端外周に全周に亘ってＵ字状の鍔部が固定され、この鍔部の中央部分において蝶番を介して前記バケットの底板に起立倒伏可能に取り付けると共に、前記鍔部の両端部分を前記バケットの底板に設けた止金具に係脱可能に構成してなる、
ことを特徴とする水産物採取装置。
【発明の詳細な説明】
【０００１】
【発明の属する技術分野】
本発明は、水産物採取船に取り付けられた水産物採取装置に係り、特にカキ、ホタテ貝、ホヤ等の水産物採取効率を工場させることのできる水産物採取装置に関する。
【０００２】
水産物、例えばカキの採取にあたっては、図７に示すように、海面１に複数個のカキ浮しタル２を所定の間隔で浮し、各カキ浮しタル２間をカキ棚ロープ３でそれぞれ連結すると共に、各カキ棚ロープ３に結合した複数本のカキロープ４をそれぞれ海中に垂下して、カキロープ４にカキ５を付着させるようにしたものである。
【０００３】
このようにして、カキロープ４にカキ５が付着すると、カキ棚ロープ３を、図８に示すように、カキ採取船６側にたぐり寄せ、図９に示すように、先端にフック８を設けた操作棒７により、前記フック８でカキロープ４を引っ掛けて船に引き上げ、カキロープ４を切断して、カキ棚ロープ３から切り離す。そして、カキロープ４は、カキ採取船６の舷側に設けられた回転ドラム１０に案内されて、船内の図示しない牽引装置により牽引し、前記回転ドラム１０を囲むように設けられたガイド１１を通過し、図示しない引掻部により、カキロープ４に付着したカキ５を船内に落下させる。
【０００４】
しかしながら、前記構成からなる水産物の採取方法によれば、例えば、カキを採取するに際して、カキロープ４が回転ドラム１０に案内されて移動するときに、カキロープ４に付着したカキ５が引き剥がされて、その一部が海中に落下してしまい、カキの採取効率が低下するという難点がある。
【０００５】
そこで、本発明者は、鋭意検討を重ねた結果、(1) 水産物採取船の舷側に、前記回転ドラムに対向して少なくとも一側縁部において上下方向に回動可能に取り付けられ、前記舷側から外側に突出可能に構成された函状のバケットと、(2) バケットの底面に、前記回転ドラムに対向する位置において前記水産物が付着したロープを通過させるように構成した開口部と、(3) バケットの底面における前記開口部の周縁に、前記回転ドラムの外周に対し摺接すると共に前記開口部を被覆するように起立倒伏可能に装着したひれ状部材とを設けた構成とし、(4) 前記バケットは、ほぼ矩形状の底板と、この底板の三方の外周に一体的に立設された側板とから構成され、前記側板のない一方の底板側縁部を、蝶番および係止板を介して前記水産物採取船の舷側における上部レールに対し上下方向に回動および係止可能に取り付けられ、前記側板の内側と外側にそれぞれＵボルトを設けて、これらのＵボルトに対し、バケットを水平状態に懸吊支持すると共にバケットを船内側に引上げ収納するための懸吊ないし引き上げロープをそれぞれ結合し、(5)前記ひれ状部材は、放射状に複数の切断線を有する半角錐状に形成され、下端外周に全周に亘ってＵ字状の鍔部が固定され、この鍔部の中央部分において蝶番を介して前記バケットの底板に起立倒伏可能に取り付けると共に、前記鍔部の両端部分を前記バケットの底板に設けた止金具に係脱可能に構成することにより、前記問題点を解消し得る水産物採取装置を得ることができることを突き止めた。
【０００６】
従って、本発明の目的は、水産物採取船に取り付けた回転ドラムに案内されて、水産物が付着したロープを引き上げるように構成してなる水産物採取装置において、ロープに付着した水産物を回収するバケット、このバケットのロープを通過させる開口部を被覆して、落下する水産物をバケットに案内する部材とを設けるに際して、バケットの作業時および作業終了時における船体の舷側部に対しての設定および収納作業を、簡便かつ迅速に行うことができ、作業効率の向上を達成することができるように構成した水産物採取装置を提供することにある。
【０００７】
【課題を解決するための手段】
前記目的を達成するため、本発明の請求項１に記載の水産物採取装置は、水産物採取船に取り付けた回転ドラムに案内されて、水産物が付着したロープを引き上げるように構成してなる水産物採取装置において、
前記水産物採取船の舷側に、前記回転ドラムに対向して少なくとも一側縁部において上下方向に回動可能に取り付けられ、前記舷側から外側に突出可能に構成された函状のバケットと、
前記バケットの底面に、前記回転ドラムに対向する位置において前記水産物が付着したロープを通過させるように構成した開口部と、
前記バケットの底面における前記開口部の周縁に、前記回転ドラムの外周に対し摺接すると共に前記開口部を被覆するように起立倒伏可能に装着したひれ状部材とを具備し、
前記バケットは、ほぼ矩形状の底板と、この底板の三方の外周に一体的に立設された側板とから構成され、前記側板のない一方の底板側縁部を、蝶番および係止板を介して前記水産物採取船の舷側における上部レールに対し上下方向に回動および係止可能に取り付けられ、前記側板の内側と外側にそれぞれＵボルトを設けて、これらのＵボルトに対し、バケットを水平状態に懸吊支持すると共にバケットを船内側に引上げ収納するための懸吊ないし引き上げロープをそれぞれ結合してなり、
前記ひれ状部材は、放射状に複数の切断線を有する半角錐状に形成され、下端外周に全周に亘ってＵ字状の鍔部が固定され、この鍔部の中央部分において蝶番を介して前記バケットの底板に起立倒伏可能に取り付けると共に、前記鍔部の両端部分を前記バケットの底板に設けた止金具に係脱可能に構成してなる、
ことを特徴とする。
【０００８】
すなわち、本発明の水産物採取装置においては、水産物の採取作業に際しては、ひれ状部材について、その鍔部を止金具から離脱させ、バケットの開口部から離反させ、垂直方向に起立させた後、バケットに設けられた係止板を、ねじを支点として回動させ、バケットの端縁と上部レールとの間に形成された間隙を通し、カキロープを開口部内に入れて回転ドラム側に導き、その後、係止板を元の位置に戻して上部レールに係止させ、ひれ状部材を船側に倒伏して、その鍔部をバケットの止金具に係合することによって、ひれ状部材が、回転ドラムの外周に弾性的に摺接すると共に回転ドラムの外周と開口部との間を被覆して、採取作業を開始することができる。
そして、採取作業の終了に際しては、ひれ状部材の両側を内側に押して、鍔部を止金具から離脱させ、ひれ状部材をバケットの開口部から離反させ、垂直方向に起立させた後、バケットに設けられた係止板を、ねじを支点として回動させておき、その後引き上げロープを引き上げることにより、バケットをほぼ垂直方向に引き上げて、バケットが舷側から外側に突出して邪魔になる状態を回避することができる。
【０００９】
【発明の実施の形態】
次に、本発明に係る水産物採取装置として、カキの採取に応用した実施の形態について、添付図面を参照しながら、以下説明する。
【００１０】
図１ないし図６は、本発明の水産物採取装置を、カキの採取に応用した実施の形態における、それぞれ構成を示すものである。なお、図１ないし図６において、図７および図８に示す従来例の構成部分と対応する部分には、同一の参照符号を付して、その詳細な説明は省略する。
本実施の形態による水産物採取装置は、図１に示すように、例えば、カキ採取船６の舷側上面に設けられた上部レール１２に対して、上下方向に回動可能に取付けられたバケット１３と、このバケット１３に形成された開口部１５を被覆できるように、バケット１３に起立倒伏可能に設けられたひれ状部材１４とから構成されている。
【００１１】
バケット１３は、図２に示すように、ＦＲＰなどの樹脂材料で四角函状に形成されており、ほぼ矩形状の底板１３ａと、底板１３ａの三方の外周に一体的に立設された側板１３ｂとから、構成されている。底板１３ａの側板１３ｂが立設されていない一辺の中心には、ほぼ台形状の開口部１５が形成されている。この開口部１５の奥側の一辺の長さＡは、図１に示す回転ドラム１０の軸方向の長さに等しくなっている。また、開口部１５の入口側の幅Ｂは、引き上げられるカキ５が当らないように、奥側の一辺の長さＡよりも長くなっている。
【００１２】
バケット１３の開口部１５が形成された底板１３ａの一辺には、開口部１５の両側においてそれぞれ蝶番１６および係止板１７が取り付けられている。蝶番１６の一片は、バケット１３に固定されており、その他片は上部レール１２に固定される。従って、バケット１３は、蝶番１６を介してカキ採取船６の舷側上面の上部レールに対して、上下方向に回動可能に、しかも開口部１５が回転ドラム１０に対向する位置となるように取り付けられている。
【００１３】
また、係止板１７は、バケット１３の外側底部に突出すると共に、ねじ３１により回動可能に設けられており、バケット１３をほぼ水平にした状態で、前記係止板１７が上部レール１２の上面に当接するように構成されている。さらに、バケット１３の係止板１７が固定された側の一辺と、上部レール１２の外側の面との間には、間隙Ｃが形成されており、後述するカキロープ４を開口部１５へ挿通し易いように構成されている。
【００１４】
カキ採取船６の舷側近傍には、支柱１８が立設されており、この支柱１８の上端には滑車１９が取り付けられている。一方、バケット１３の側板１３ｂの内側には、４個のＵボルト２０が設けられており、外側には２個のＵボルト２１が設けられている。Ｕボルト２０には、それぞれロープ５９の一端が固定されており、４本の懸吊ロープ５９は１本に収束されて滑車１９に導かれ、その他端は船側に固定される。そして、前記懸吊ロープ５９により、バケット１３を水平状態に懸吊支持し、バケット１３内にカキが溜まった場合にも、バケット１３が傾かないように設定されている。同様に、Ｕボルト２１にも、それぞれロープ２２の一端が固定されており、２本の引き上げロープ２２は１本に収束されて滑車１９に導かれ、その他端は船側に固定される。そして、作業終了後において、前記引き上げロープ２２によりバケット１３を引き上げて、船内側に収納できるように設定されている。
【００１５】
バケット１３の底面１３ａには、その外周近傍に複数個の水抜き孔２３が形成されている。また、開口部１５を形成するバケット１３の底板１３ａの縁部には、後述するひれ状部材１４をバケット１３の底面１３ａに係合および離脱可能な左右一対のＬ字型の係止部を形成した止金具２４が設けられている。
【００１６】
ひれ状部材１４は、図３及び図４に示すように、可撓性を有するステンレス鋼からなる薄板によりほぼ半角錐状に形成されており、その下端外周には全周に亘ってＵ字状の鍔部２５が固定されている。ひれ状部材１４は、放射状の切断線２６により、左右対称的に５片に分割されており、中心の１片１４ａには２本の切込み２７が、先端から中間部まで形成されている。ひれ状部材１４の中心の１片１４ａの基端の鍔部２５ａの両端には、それぞれ蝶番２８の一方の側が固定されており、蝶番２８の他方の側はバケット１３の開口部１５の奥側の一辺に沿って固定されている。そして、ひれ状部材１４を船体側に倒伏し、鍔部２５をバケット１３に設けられた止金具２４で係合した際に、ひれ状部材１４の中心の１片１４ａの先端が回転ドラム１０の外周に摺接し、他の４片が回転ドラム１０の外周と開口部１５との間を被覆するように構成されている。
【００１７】
回転ドラム１０（図１参照）は、図５に示すように、金属板により角筒状に形成された胴部１０ａと、胴部１０ａの両端に同心状に固定された円形のフランジ板１０ｂとから、構成されている。胴部１０ａの両端には、対角線状にリブ１０ｃが設けられており、このリブ１０ｃの交点及びその位置のフランジ板１０ｂには、支軸２９（図１参照）が挿通される取付孔１０ｄが形成されている。また、胴部１０ａの外周は、ゴム膜３０で被覆されている。
【００１８】
次に、上記のように構成された本実施の形態によるカキ採取装置の操作手順について説明する。図７および図９に示す従来例の場合と同様に、カキロープ４を引き上げるときは、図６に示すように、ひれ状部材１４の両側を内側に押して、鍔部２５を止金具２４から離脱させ、ひれ状部材１４をバケット１３の開口部１５から離反させ、垂直方向に起立させる。次いで、バケット１３に設けられた係止板１７を、ねじ３１を支点として回動させ、バケット１３の端縁と上部レール１２との間に形成された間隙Ｃ（図２参照）を通して、カキロープ４を開口部１５内に入れ、回転ドラム１０側に導く。その後、係止板１７を元の位置に戻して上部レール１２に係止させる（図２参照）と共に、ひれ状部材１４を船側に倒伏して、鍔部２５をバケット１３の止金具２４に係合する（図４参照）。この時、ひれ状部材１４の中心の１片１４ａの先端が、回転ドラム１０の外周に弾性的に摺接し、他の４片が回転ドラム１０の外周と開口部１５との間を被覆する（図１および図４参照）。
【００１９】
この状態で、カキロープ４を回転ドラム１０の外周を通って船側に引っ張ると、カキロープ４に付着したカキ５は、バケット１３の開口部１５を通り、さらにひれ状部材１４の先端と回転ドラム１０の外周との間を通って、ガイド１１を経て船内に引き上げられる。この時、ひれ状部材１４は、可撓性の薄板で構成されているため、カキ５が通る時に容易に外側へ変形して、ひれ状部材１４により掻き落されることはない。しかし、カキロープ４が回転ドラム１０の外周に沿って移動する時は、カキ５が回転ドラム１０の外周に押し付けられるので、カキロープ４から脱落することがある。この場合、脱落したカキ５は、海に落ちることなく、バケット１３内に集積される（図１参照）。従って、カキ５の採取効率が向上する。なお、図２に示すように、バケット１３の開口部１５の奥側の辺と、外周との間の距離Ｄは、バケット１３内に集積されたカキ５をスコップなどで掻き出し易い幅としておくことが好ましい。
【００２０】
カキ採取時においては、バケット１３は、図１に示すように、ロープ５９を介して支柱１８にほぼ水平状態に懸吊支持されているが、作業終了後において、水産物採取船を航行ないし接岸する際には、ロープ２２を引き上げることにより、容易にバケット１３をほぼ垂直方向に引き上げることができる。この場合、予め前記ひれ状部材１４の両側を内側に押して、鍔部２５を止金具２４から離脱させ、ひれ状部材１４をバケット１３の開口部１５から離反させ、垂直方向に起立させる（図６参照）。このように構成することにより、バケット１３が舷側から外側に突出する状態を回避することができる。
【００２１】
このように構成された本実施の形態によるカキ採取装置によれば、カキロープ４を回転ドラム１０に沿って引き上げる時に落下するカキ５を、比較的に容易かつ簡単な操作により、バケット１３内へ円滑に収集し、回収することができ、カキ５の海への落下を防止して、カキ５の採取効率を向上することができる。
【００２２】
また、作業終了後において、バケット１３を船側に収納するに際しても、ロープ２２を引き上げることにより、容易かつ迅速にして、バケット１３を船体の舷側部から取り外すことなく適正な状態に収納することができるばかりでなく、ひれ状部材１４の損傷も確実に防止することができる。
【００２３】
以上、本発明の好適な実施の形態について説明したが、本発明装置は前記実施の形態に限定されることなく、例えばカキ採取船６の左舷に取り付けることに代えて、右舷に取り付けることも可能であり、この場合には、蝶番１６と係止板１７との位置が逆となる。また、本発明装置を、船側の上面に直接取り付ける構成を示したが、前記上面に限定されることなく、しかも間接的に取り付けることも可能である。さらには、本発明装置を、船首、船尾ないしこれらの舷側にも、それぞれ取り付けることも可能である。一方、ひれ状部材１４については、切り込みのある複数の材料を使用した場合について示したが、硬質ビニールや、その他のもので１枚の構成とすることもできる。その他、本発明の精神を逸脱しない範囲内において、種々の設計変更を行うことができることは勿論である。
【００２４】
【発明の効果】
前述した実施の形態から明らかな通り、本発明の請求項１に記載の水産物採取装置によれば、水産物採取船に取り付けた回転ドラムに案内されて、水産物が付着したロープを引き上げるように構成してなる水産物採取装置において、ロープに付着した水産物を回収するバケットと、このバケットのロープを通過させる開口部を被覆して、落下する水産物をバケットに案内するように設けたひれ状部材とは、バケットの作業時および作業終了時における船体の舷側部に対しての設定および収納作業を、バケットをその都度船体の舷側部から取り外す必要がないので、簡便かつ迅速に行うことができ、作業効率の向上を容易に達成することができる構成とすることができる。
【図面の簡単な説明】
【図１】  本発明に係る水産物採取装置の実施の形態（カキ採取装置）の概略構成を示す斜視図である。
【図２】  図１におけるバケットの構成を示す平面図である。
【図３】  図１におけるひれ状部材の構成を示す平面図である。
【図４】  図２に示すバケットとひれ状部材の取付け状態を示す説明図である。
【図５】  図１における回転ドラムの構成を示す斜視図である。
【図６】  図２におけるバケットに取付けたひれ状部材をバケットの開口部から離反させた状態を示す斜視図である。
【図７】  従来におけるカキ棚ロープおよびカキロープの構成配置例を示す説明図である。
【図８】  従来の水産物採取装置の構成例を示す概略斜視図である。
【図９】  従来におけるカキロープを引き上げる場合に使用するフック付き操作器具の操作方法を示す説明図である。
【符号の説明】
１  海面
２  カキ浮しタル
３  カキ棚ロープ
４  カキロープ
５  カキ
６  カキ採取船
７  操作棒
８フック
１０  回転ドラム
１１  ガイド
１２  上部レール
１３  バケット
１３ａ  底面
１３ｂ  側板
１４  ひれ状部材
１４ａ  中心の１片
１４ｂ  フランジ板
１４ｃ  リブ
１４ｄ  取付孔
１５  開口部
１６、２８  蝶番
１７  係止板
１８  支柱
１９  滑車
２０、２１  Ｕボルト
２２  引き上げロープ
２３  水抜き孔
２４  止金具
２５  鍔部
２６  切断線
２７  切込み
２９  支軸
３０  ゴム膜
３１  ねじ
５９  懸吊ロープ
【図１】
0003673346.tif 000002
【図２】
0003673346.tif 000003
【図３】
0003673346.tif 000004
【図４】
0003673346.tif 000005
【図５】
0003673346.tif 000006
【図６】
0003673346.tif 000007
【図７】
0003673346.tif 000008
【図８】
0003673346.tif 000009
【図９】
0003673346.tif 000010